(57)【要約】【課題】建築現場における軽量気泡コンクリート（ＡＬＣ）コーナーパネルへの穿孔作業を、手作業により高い精度で行うことができる手段を提供すること。【解決手段】略Ｌ字型の小口面用プレート２と、小口面用プレート２の対向する外縁から垂直に立ち上がる入隅部用ガイドプレート３及び出隅部用ガイドプレート４と、を備え、小口面用プレート２には、入隅部の角部頂点２２と出隅部の角部頂点２３とを結ぶ直線上に、穿孔治具１の外側に向けて小口面用プレート２に対して垂直に円筒状の縦孔ガイドパイプ２１が設置されていて、入隅部用ガイドプレート３の入隅部及び／又は前記出隅部用ガイドプレート４の出隅部には、穿孔治具１の外側に向けて縦孔ガイドパイプ２１の中心軸と直交する方向に円筒状の横孔ガイドパイプ３１、４２が設置されている、軽量気泡コンクリートコーナーパネル用の穿孔治具１とする。【選択図】図１
2018126942.tif 000002
【特許請求の範囲】
【請求項１】
軽量気泡コンクリートコーナーパネル用の穿孔治具であって、
略Ｌ字型の小口面用プレートと、該小口面用プレートの対向する外縁から垂直に立ち上がる入隅部用ガイドプレート及び出隅部用ガイドプレートと、を備え、
前記小口面用プレートには、入隅部の角部頂点と出隅部の角部頂点とを結ぶ直線上に、前記穿孔治具の外側に向けて前記小口面用プレートに対して垂直に円筒状の縦孔ガイドパイプが設置されていて、
前記入隅部用ガイドプレートの入隅部及び／又は前記出隅部用ガイドプレートの出隅部には、前記穿孔治具の外側に向けて前記縦孔ガイドパイプの中心軸と直交する方向に円筒状の横孔ガイドパイプが設置されている、穿孔治具。
【発明の詳細な説明】
【技術分野】
【０００１】
本発明は、軽量気泡コンクリート（ＡＬＣ）パネルによって形成する建築物の壁体において、隅部に配置される軽量気泡コンクリート（ＡＬＣ）コーナーパネル用の穿孔治具に関する。
【背景技術】
【０００２】
中低層住宅を含む建築物において、ＡＬＣパネルによって壁体を構成する際、隅部においては、上記パネルと同一の材質からなり断面略Ｌ字型のＡＬＣコーナーパネルを配置して壁体を構成することが一般的に行われている（図４参照）。
【０００３】
例えば、特許文献１には、このようなＡＬＣコーナーパネルの小口面に穿孔し、フランジを有する棒状部材を当該穴に挿入して固定し、躯体と当該フランジとを直接又は間接的に固定することによってコーナーパネルを躯体に取り付けたＡＬＣコーナーパネルの取付け構造が開示されている。
【０００４】
又、特許文献２には、上記の穿孔を精度よく、容易・迅速に行うことを目的とし、コンベア等の搬送手段と穿孔用ドリルを配置した穿孔手段とを備えるＡＬＣコーナーパネル用の穿孔装置が開示されている。
【先行技術文献】
【特許文献】
【０００５】
【特許文献１】特開平１０−３３８９８１号公報
【特許文献２】特開２００１−１６２６１５号公報
【発明の概要】
【発明が解決しようとする課題】
【０００６】
特許文献２に記載の装置によれば、ＡＬＣコーナーパネルへの穿孔を、建築現場への搬入前に予め精度よく行っておくことが可能である。しかし、特に比較的小型の低層住宅等の建築においては、プレキャストパネルであるＡＬＣパネルを建築現場に一括搬入した後に、当該現場内で上記の穿孔作業を手作業で行うことが必要となる場合も多い。
【０００７】
ＡＬＣコーナーパネルに対するドリル等を用いた手作業による穿孔は、穿孔位置や方向がばらつきやすい。例えば、図３に示す縦孔５１が小口面に対して垂直に形成されていない場合には、ＡＬＣコーナーパネル５の内部に挿入するアンカーが斜めになってしまう。又、横孔５２、５３が、腹面に垂直、即ち、縦孔に直交して形成されていない場合には、縦孔５１内のアンカーに、横孔から挿入するボルトを螺合することができない。このような不具合が発生した場合には、縦孔５１や横孔５２の開口径を広げて対応せざるを得ず、この場合、ＡＬＣパネルの取付け部強度が低下する恐れがあった。
【０００８】
建築現場内等においてＡＬＣコーナーパネルへの穿孔作業を手作業で行うことが必要となる場合において、この穿孔作業を、特許文献２に開示されているような穿孔装置によることなく、手作業で実施可能でありながら、高い精度で行うことができる手段が求められていた。
【０００９】
本発明は、建築現場における軽量気泡コンクリート（ＡＬＣ）コーナーパネルへの穿孔作業を、手作業により高い精度で行うことができる手段を提供することを目的とする。
【課題を解決するための手段】
【００１０】
本発明者らは、以下にその詳細を説明する軽量気泡コンクリート（ＡＬＣ）コーナーパネル用の穿孔治具（以下、単に「穿孔治具」とも言う。）により、上記課題を解決し得ることを見出し、本発明を完成するに至った。具体的には、本発明は以下のものを提供する。
【００１１】
（１）  軽量気泡コンクリートコーナーパネル用の穿孔治具であって、略Ｌ字型の小口面用プレートと、該小口面用プレートの対向する外縁から垂直に立ち上がる入隅部用ガイドプレート及び出隅部用ガイドプレートと、を備え、前記小口面用プレートには、入隅部の角部頂点と出隅部の角部頂点とを結ぶ直線上に、前記穿孔治具の外側に向けて前記小口面用プレートに対して垂直に円筒状の縦孔ガイドパイプが設置されていて、前記入隅部用ガイドプレートの入隅部及び／又は前記出隅部用ガイドプレートの出隅部には、前記穿孔治具の外側に向けて前記縦孔ガイドパイプの中心軸と直交する方向に円筒状の横孔ガイドパイプが設置されている、穿孔治具。
【発明の効果】
【００１２】
本発明によれば、建築現場における軽量気泡コンクリート（ＡＬＣ）コーナーパネルへの穿孔作業を、手作業により高い精度で行うことができる。
【図面の簡単な説明】
【００１３】
【図１】本発明の軽量気泡コンクリートコーナーパネル用の穿孔治具の斜視図である。
【図２】本発明の軽量気泡コンクリートコーナーパネル用の穿孔治具の上面図である。
【図３】本発明の軽量気泡コンクリートコーナーパネル用の穿孔治具を用いた軽量気泡コンクリートコーナーパネルの穿孔方法の説明に供する図である。
【図４】本発明の軽量気泡コンクリートコーナーパネル用の穿孔治具を用いて穿孔した軽量気泡コンクリートパネルにより構成される軽量気泡コンクリート壁体隅部の斜視図である。
【発明を実施するための形態】
【００１４】
以下、本発明の軽量気泡コンクリート（ＡＬＣ）コーナーパネル用の穿孔治具の好ましい実施形態について説明するが、本発明は、以下の実施形態に限定されるものではない。
【００１５】
＜軽量気泡コンクリート（ＡＬＣ）コーナーパネル用の穿孔治具＞
図４は、本発明のＡＬＣコーナーパネル用の穿孔治具１を用いて穿孔したＡＬＣコーナーパネル５及びその他のＡＬＣパネル６により構成することができる軽量気泡コンクリート（ＡＬＣ）壁体隅部１０の具体例を示す斜視図である。このＡＬＣ壁体隅部１０は、一対のＡＬＣパネル６が、ＡＬＣコーナーパネル５を介して接続されている。本発明の穿孔治具１は、このＡＬＣ壁体隅部１０において、コーナーパネル５をスラブ７等の躯体に固定するためのアンカーや固定ボルト等を挿入する孔を、ＡＬＣコーナーパネル５の所望の位置に正確に穿孔するために用いる穿孔治具である。
【００１６】
図１は、穿孔治具１の斜視図であり、図２は、同上面図である。これらの図に示す通り、穿孔治具１は、略Ｌ字型の小口面用プレート２と、小口面用プレート２の入隅部の側の外縁から垂直に立ち上がる入隅部用ガイドプレート３と、これに対向する出隅部の側の外縁から垂直に立ち上がる出隅部用ガイドプレート４と、を備える。尚、本明細書において、小口面用プレート２の入隅部、出隅部とは、穿孔治具１が使用対象とするＡＬＣコーナーパネル５の小口面の入隅部側、出隅部側にそれぞれ対応する部分のことを言う。又、入隅部用ガイドプレート３の入隅部、出隅部用ガイドプレート４の出隅部についても同様である。
【００１７】
小口面用プレート２は、使用対象となるＡＬＣコーナーパネル５のＬ字系状の小口面と同型同サイズのＬ字形状のプレートである。耐久性や加工適性等の観点から金属製のプレートであることが好ましい。
【００１８】
そして、小口面用プレート２には、その入隅部の角部頂点２２と出隅部の角部頂点２３とを結ぶ直線上の所望の位置、好ましい一例としてはこの線分上にある小口面用プレート２の重心近傍の位置に、穿孔治具１の外側に向けて、小口面用プレート２に対して垂直に円筒状の縦孔ガイドパイプ２１が設置されている。
【００１９】
縦孔ガイドパイプ２１は、金属製のパイプ部材であることが好ましい。小口面用プレート２における縦孔ガイドパイプ２１の設置位置には、同ガイドパイプの内周に沿って該内周と略同サイズの貫通孔が形成されている。穿孔治具１のこのような構造によれば、穿孔治具１をＡＬＣコーナーパネル５の小口面に被せた状態において、この縦孔ガイドパイプ２１から小口面用プレート２の上記貫通孔を通じてドリル等を挿入することにより、当該小口面に対して垂直な縦孔５１を、所望の位置に正確に穿孔することができる（図３参照）。
【００２０】
入隅部用ガイドプレート３は、図１及び図２に示すように、略Ｌ字型の小口面用プレート２の入隅部側の外縁に沿って、小口面用プレート２に対して垂直に立ち上がる態様で形成されている。入隅部用ガイドプレート３は、図１に示すように、一対のプレート部材を相互に直角に配して構成することができるし、或いは、Ｌ字型に折曲げ加工された単一のプレート部材で構成することもできる。いずれの場合も、小口面用プレート２と同様、金属製のプレート部材であることが好ましい。
【００２１】
そして、入隅部用ガイドプレート３の入隅部外側には、穿孔治具１の外側に向けて、縦孔ガイドパイプ２１の中心軸と直交する方向に、円筒状の横孔ガイドパイプ（入隅部用）３１が設置されている。
【００２２】
横孔ガイドパイプ（入隅部用）３１は、金属製のパイプ部材であることが好ましい。入隅部用ガイドプレート３における横孔ガイドパイプ３１の設置位置には、同ガイドパイプの内周に沿って該内周と略同サイズの貫通孔が形成されているか、或いは、同ガイドパイプの内周と同型同サイズの棒状部材（ドリル等）が通り抜けられるだけの幅を有する隙間が形成されている。穿孔治具１のこのような構造によれば、穿孔治具１をＡＬＣコーナーパネル５の小口面に被せた状態において、この横孔ガイドパイプ（入隅部用）３１から入隅部用ガイドプレート３の上記貫通孔或いは上記隙間を通じてドリル等を挿入することにより、縦孔ガイドパイプ２１を用いて形成される縦孔５１に直交する横孔５２を、所望の位置に正確に穿孔することができる（図３参照）。
【００２３】
出隅部用ガイドプレート４は、図１及び図２に示すように、略Ｌ字型の小口面用プレート２の出隅部側の外縁に沿って、小口面用プレート２に対して垂直に立ち上がる態様で形成されている。出隅部用ガイドプレート４も、図１に示すように、入隅部用ガイドプレート３と同様に一対のプレート部材を相互に直角に配して構成することができるし、或いは、Ｌ字型に折曲げ加工された単一のプレート部材で構成することもできる。いずれの場合も、小口面用プレート２及び入隅部用ガイドプレート３と同様、金属製のプレート部材であることが好ましい。
【００２４】
そして、出隅部用ガイドプレート４の出隅部外側には、穿孔治具１の外側に向けて、縦孔ガイドパイプ２１の中心軸と直交する方向に、円筒状の横孔ガイドパイプ（出隅用）４１が設置されている。
【００２５】
横孔ガイドパイプ（出隅部用）４１も、横孔ガイドパイプ（入隅部用）３１同様、金属製のパイプ部材であることが好ましい。出隅部用ガイドプレート４における横孔ガイドパイプ４１（出隅部用）の設置位置には、入隅部用ガイドプレート３における構造と同様の貫通孔、或いは、隙間が形成されている。穿孔治具１のこのような構造によれば、穿孔治具１をＡＬＣコーナーパネル５の小口面に被せた状態において、この横孔ガイドパイプ（出隅部用）４１から出隅部用ガイドプレート４の上記貫通孔或いは上記隙間を通じてドリル等を挿入することにより、縦孔ガイドパイプ２１を用いて形成される縦孔５１に直交する横孔５３を、所望の位置に正確に穿孔することができる（図３参照）。
【００２６】
穿孔治具１は、上記の横孔ガイドパイプ（入隅部用）３１及び横孔ガイドパイプ（出隅用）４１のいずれもが上記態様で設置されていることが好ましい。このような構成とすることにより、入隅部用の穿孔と出隅用の穿孔の両方の作業に、単一の穿孔治具で対応することができる。又、図３においては、横孔ガイドパイプ（入隅部用）３１と横孔ガイドパイプ（出隅用）４１とは同一直線上に形成されているが、縦孔５１に対する直交が保持できる限りにおいて、垂直方向の位置については必要に応じて相互に異なる位置に調整してもよい。
【００２７】
又、横孔ガイドパイプ（入隅部用）３１又は横孔ガイドパイプ（出隅用）４１のいずれか一方のみが配置されている治具であっても、ガイドパイプが設置されている側への穿孔について十分に有用であり、このような構成の穿孔治具も本発明の範囲内である。
【００２８】
＜軽量気泡コンクリート（ＡＬＣ）コーナーパネル穿孔方法＞
本発明の穿孔治具１を用いてＡＬＣコーナーパネル５に穿孔する穿孔方法は以下の通りである。先ず、ＡＬＣコーナーパネル５のＬ字形状の小口面が穿孔治具１の小口面用プレート２に、入隅側の側面が入隅部用ガイドプレート３に、出隅側の側面が出隅部用ガイドプレート４に、それぞれ整合する態様で、穿孔治具１をＡＬＣコーナーパネル５の端部に嵌め込む。このように穿孔治具１を嵌め込んだ状態で、縦孔ガイドパイプ２１、横孔ガイドパイプ（入隅部用）３１、及び横孔ガイドパイプ（出隅用）４１を通じて、穿孔用のドリル等をＡＬＣコーナーパネル５の内部にまで挿入する。各孔を形成後に、穿孔治具１をＡＬＣコーナーパネル５から外して、各孔へのアンカーやボルトの挿入等、適宜次工程に移行する。
【００２９】
本発明の穿孔治具を用いる上記方法によれば、ＡＬＣコーナーパネル５の小口面に形成する縦孔５１及び同パネルの腹面に形成する横孔５２、５３を、建築現場における手作業により、容易且つ正確に形成することができる。
【符号の説明】
【００３０】
１                  穿孔治具コーナーパネル
２                  小口面用プレート
２１                縦孔ガイドパイプ
２２                入隅部の角部頂点
２３                出隅部の角部頂点
３                  入隅部用ガイドプレート
３１                横孔ガイドパイプ（入隅部用）
４                  出隅部用ガイドプレート
４１                横孔ガイドパイプ（出隅部用）
５                  軽量気泡コンクリート（ＡＬＣ）コーナーパネル
５１                縦孔
５２、５３          横孔
６                  軽量気泡コンクリート（ＡＬＣ）コーナーパネル
７                  スラブ
１０                軽量気泡コンクリート（ＡＬＣ）壁体隅部
【図１】
2018126942.tif 000003
【図２】
2018126942.tif 000004
【図３】
2018126942.tif 000005
【図４】
2018126942.tif 000006